(57)【特許請求の範囲】
【請求項１】
少なくとも１つのカッタユニットを持つ、回転シェービングヘッドであって、各前記カッタユニットは、
ユーザの皮膚に係合するための毛入口開口を備えた外側面を持つキャップと、
担体により支持された切断要素を持ち、前記キャップ内に配置可能であり、前記キャップに対して回転可能な、回転カッタと、
を有し、前記シェービングヘッドは更に、
前記カッタユニットを支持するための支持部材と、
前記支持部材に対する相対的な回転により、前記支持部材と係合し及び前記支持部材を係止するように構成され、前記キャップ及び前記回転カッタを保持するように構成された、保持器と、
を有し、前記保持器は、前記回転カッタを駆動する駆動部材が延在する開口を定義する環状体を有し、前記環状体は、切断された毛を通過させる１つ以上の穴を備え、前記穴は、前記支持部材に対する前記保持器の回転の方向を示す、方向を表す指示として形作られた、回転シェービングヘッド。
【請求項２】
前記保持器と前記支持部材とは、回転により互いに係合し互いを係止する係止要素を有する、請求項１に記載のシェービングヘッド。
【請求項３】
前記係止要素は、前記支持部材に形成された内側に向けて延在するフランジの下に係合する前記保持器の外周における突起を持つバヨネット要素を有する、請求項２に記載のシェービングヘッド。
【請求項４】
前記係止要素は、戻り止め要素を備えた、請求項２又は３に記載のシェービングヘッド。
【請求項５】
前記保持器は、前記支持部材に対して前記保持器を回転させるための把持突起を備えた、請求項１乃至４のいずれか一項に記載のシェービングヘッド。
【請求項６】
前記把持突起は、前記支持部材に対する前記保持器の回転の方向を示す、方向を表す更なる指示として形作られた、請求項５に記載のシェービングヘッド。
【請求項７】
前記穴は、矢印又は山形の形に形成された、請求項１乃至６のいずれか一項に記載のシェービングヘッド。
【請求項８】
前記環状体の周縁部のまわりに配置された少なくとも３つの穴を有する、請求項１乃至７のいずれか一項に記載のシェービングヘッド。
【請求項９】
前記環状体は、前記開口を囲む内側環及び外側環を有し、前記１つ以上の穴が、前記外側環と前記内側環との間において前記内側環の径方向外向きに配置された、請求項１乃至８のいずれか一項に記載のシェービングヘッド。
【請求項１０】
前記環状体は、係止が外されたときにユーザが前記支持部材から前記保持器を引き抜くことを支援するための持ち上げ要素を備え、前記持ち上げ要素は、前記内側環の外周における刻み目を有する、請求項９に記載のシェービングヘッド。
【請求項１１】
前記環状体は、前記キャップの外側面に向く側において先細の面を備え、前記先細の面は、切断された毛が前記１つ以上の穴を通過することを容易化する、請求項１乃至１０のいずれか一項に記載のシェービングヘッド。
【請求項１２】
前記回転カッタは、前記担体に弾力的に係合し、前記保持器が前記支持部材に係合し係止されたときに前記開口を通過する、ばね荷重駆動スピンドルを有する、請求項１乃至１１のいずれか一項に記載のシェービングヘッド。
【請求項１３】
前記支持部材は、前記キャップを囲み、使用の間に前記シェービングヘッドの筐体に対して枢動するように装着された、枢動可能な皮膚支持周縁部である、請求項１乃至１２のいずれか一項に記載のシェービングヘッド。
【請求項１４】
それぞれの枢動可能な皮膚支持周縁部により各々が支持された、複数のカッタユニットを有する、請求項１３に記載のシェービングヘッド。
【請求項１５】
前記支持部材は、前記支持部材から前記保持器の係止を外すための、前記保持器に対するアクセスを可能とする開位置へと、前記シェービングヘッドの第２の筐体部分に対して移動又は枢動させられることができる、前記シェービングヘッドの第１の筐体部分の一部を形成する、請求項１乃至１４のいずれか一項に記載のシェービングヘッド。
【請求項１６】
本体と、請求項１乃至１５のいずれか一項に記載のシェービングヘッドと、を有するシェーバ。
【発明の詳細な説明】
【技術分野】
【０００１】
本発明は、回転式のシェービング装置に関し、特に少なくとも１つのカッタユニットと、該カッタユニットの要素を合わせて係止するための保持器と、を持つ回転シェービングヘッドに関する。本発明はまた、斯かる回転シェービングヘッドを内蔵するシェービングに関する。
【背景技術】
【０００２】
電気シェーバは、頻繁に利用される消費者向けアイテムであり、一般に、ユーザの皮膚の表面において検出を切断するために相互作用する可動要素と固定要素とのアセンブリを有する。カッタ及びキャップ又は保護部のようなシェービング要素は、シェーバの本体に固定される必要がある。より大きな快適さ及び便利さのため、これらシェービング要素は、弾力的に装着されても良く、一般に洗浄及び保守のため可動である。回転シェーバにおいては、これらシェービング要素は通常、外側キャップと、該キャップ内に配置された回転カッタを有する。外側キャップは、毛が通って突出することを可能とする開口を持ち、回転カッタは、毛を切るために該開口を通って移動する内側切断要素を持つ。一般に、キャップと回転カッタとは、カッタユニットのような他の構成要素と共に保持され、シェーバは、例えば該シェーバのヘッドの一部を形成するブラケットのなかにおいて、共に装着された幾つかのカッタユニットを持ち得る。
【０００３】
多くのシェーバ設計において、ブラケット及びカッタユニットは、シェーバの残りの部分から取り外されることができるか又はヒンジ状に開けられることができ、それにより、本体又はヘッド内に配置された毛室から毛が取り除かれることができる。ブラケットを取り外すか又は毛室を開ける際、カッタユニットの構成要素は共にとどまっていることが一般に望ましい。これらの構成要素は、上述したようにキャップ及び回転カッタを含んでも良いが、カッタユニットの動作、及びシェーバの本体内に配置されたモータとの相互作用のために必要とされる、ばね、ワッシャ、支持部及び駆動部材のような他の部品も含んでも良い。また、一度開かれると、これら個々の構成要素を洗浄又は交換するために、カッタユニットを分解できるべきである。この目的のため、これら構成要素を共に保持するための機構又は保持器が通常備えられる。とりわけ、個々のカッタユニットが可動であるか又は互いに対して浮動しているシェーバについては、カッタユニットと合わせて保持する当該機構が、通常は単一のカッタユニットに関連付けられる。
【発明の概要】
【発明が解決しようとする課題】
【０００４】
シェービングヘッドの既存の設計は、構成要素を合わせて保持するために比較的複雑な係止構成を利用している。洗浄のためにヘッドが取り外されると、カッタユニットを分解するための係止構成が開くことは、常に自明であるわけではない。しばしば、ユーザは、付加的な分割ステップが可能である又は必要であることを認識せず、組み立てられた状態でヘッドを洗浄しようと試みることさえある。ヘッドアセンブリが分解されることができる一設計は、米国特許出願公開US2009/0320294に示されている。該開示された設計は、それぞれがキャップを担持する、カッタ周縁として記載された、浮動支持部を含む。回転カッタは、該周縁と係合するカッタ保持板により、キャップ内に保持される。該保持板は、毛を通過させる開口を備え、該保持板を適所に保持するために、ばねと突起との系が用いられる。特定の設計は、斯かる保持器を取り除く方法をユーザが識別することを支援するためのマーキングを提案している。しかしながら、保持器に可視のマーキングを付すための利用可能なスペースは限られている。
【０００５】
既存の設計に鑑み、容易な分解を可能とし、ユーザが開くために直観的な、シェービングヘッドの構成を提供することが望ましい。
【課題を解決するための手段】
【０００６】
本発明によれば、少なくとも１つのカッタユニットを持つ、回転シェービングヘッドであって、各前記カッタユニットは、ユーザの皮膚に係合するための毛入口開口を備えた外側面を持つキャップと、担体により支持された切断要素を持ち、前記キャップ内に配置可能であり、前記キャップに対して回転可能な、回転カッタと、を有し、前記シェービングヘッドは更に、前記カッタユニットを支持するための支持部材と、前記支持部材に対する相対的な回転により、前記支持部材と係合し及び前記支持部材を係止するように構成され、前記キャップ及び前記回転カッタを保持するように構成された、保持器と、を有し、前記保持器は、駆動開口を定義する環状体を有し、前記環状体は、切断された毛を通過させる１つ以上の穴を備え、前記穴は、前記支持部材に対する前記保持器の回転の方向を示す、方向を表す指示として形作られた、回転シェービングヘッドが提供される。提案される設計の結果、ユーザは、保持器が支持部材内に配置されている場合であっても、該保持器を回転する構成要素として識別することができる。方向の指示は、保持器の開き方又は外し方の、直観的でありまた触知的な示唆を提供する。一般に、指示される回転の方向は、係止を外す方向となる。しかしながら、係止の方向又は実際には両方の方向を指示しても良いことは、理解されるであろう。
【０００７】
保持器及び支持部材は、回転により互いに係合及び係止する適切な係止要素を有しても良い。より好適には、該係止要素は、支持部材に形成された内側に延在するフランジの下に係合する、該保持器の外周における突起を持つ、バヨネット（bayonet）要素を有する。しかしながら、他のいずれの適切な回転係止構成もが考慮され得ることは、理解されるであろう。
【０００８】
好適には、使用の間の望ましくない緩みを防ぐため、係止要素は戻り止め要素を備える。該戻り止め要素は、係止要素の係合面に形成されたスナップ又はばね要素の形をとっても良い。該戻り止めを乗り越えるためには、閾値力が加えられる必要がある。これら戻り止めは、一般に係止要素に形成されるが、代替として保持器と支持部材との間の他の位置に備えられても良いことは理解されるであろう。保持器及び支持部材は好適には、共にプラスチック材料からつくられ、戻り止めは、該材料の弾力性のためスナップ動作によって動作しても良い。例えば金属のような他の材料も考慮され得ることは、理解されるであろう。
【０００９】
本発明の更なる有利な実施例においては、保持器が、支持部に対して該保持器を回転させるための把持突起を備える。該把持突起は、ユーザが指をキャップに挿入することにより、保持器を把持して回すことを可能としても良い。代替としては、これら把持突起が、適切な部品又はその他の物体により係合されても良い。当該機能を提供するため、該把持突起は好適には、少なくとも上述した係止要素又は戻り止めを放すために必要とされる力を超える力が加えられるのに十分なだけ、保持器の表面から突出する。少なくとも０．５ｍｍの高さ、好適には少なくとも１ｍｍの高さが望ましい。更に好適な実施例においては、これら把持突起は、支持部材に対する保持器の回転の方向を指示する、更なる方向指示として実施化されても良い。これらは、意図される動きの方向を指す矢印、山形模様又は三角形等のような形状を持っても良い。この場合、把持突起が回転の方向の十分な支持を提供すれば、形づけられた穴により提供される方向指示が省略されることができ、代わりに単純な穴が利用されることができる。
【００１０】
最も好適な実施例においては、穴が矢印又は山形模様等の形で形成される。ここで、矢印又は山形模様とは、回転方向における動きを指示するいずれかの形態として、当該語の最も広い意味で解釈されるべきである。また、穴に参照が為されるが、これらの穴は必ずしも周縁部のまわりに閉じている必要はなく、環状体の外側又は内側に少なくとも部分的に開いていても良いことは、理解されるであろう。これらの穴の機能は、毛が保持器を通過するようにしつつ、支持部に対して係止するために必要な剛性を維持することである。
【００１１】
特定の実施例においては、保持器は、環状体の周縁のまわりに配置された少なくとも３つの穴を備える。これらの穴は同一であっても良いが、このことは必須ではない。最も好適には、４個以上の穴が備えられる。
【００１２】
保持器の一形態によれば、環状体は、回転カッタを適所に維持するための駆動開口を囲む内側環を有しても良く、１つ以上の穴が、該内側環の径方向外向きに配置されても良い。該環状体はまた、支持部材に係合しても良く係止要素を担持し得る、外側環を持っても良い。これら穴はこのとき、例えば交差部材により、内側環と外側環との間に形成されても良い。
【００１３】
保持器の別の形態においては、環状体は、係止を外されたときに保持器を支持部材からユーザが引き出すことを支援するための、持ち上げ要素を備えても良い。該持ち上げ要素は、ユーザが引き抜き力を加えることを支援する、内側環の外周における刻み目を有しても良い。
【００１４】
以上に議論したように、前記穴の機能は、切断された毛及びその他のシェービングの細片が、毛収集室の方へと保持器を通過することを可能とすることである。好適には、環状体が、キャップの外側面に向けられた側において先細の面を備えられる。該先細の面は、１つ以上の穴を通る切断された毛の通過を容易化する。
【００１５】
本発明によるシェービングヘッドは、種々の形態で構成され得る。ヘッドの好適な形態においては、カッタユニットは、担体に弾力的に係合され、保持器が支持部材に係合され係止されたときに、駆動開口を通過する、ばね荷重スピンドルを有する。斯かるばね荷重結合は、とりわけ互いに対して浮動可能な複数のカッタユニットが備えられた場合に、シェーバドライブに対する柔軟性を提供するために有利である。しかしながら、本体の側における係合駆動スピンドルもまたばね荷重を受けたものであっても良いことを、当業者は認識するであろう。
【００１６】
更なる好適な実施例においては、支持部材は、全体として国際特許出願公開WO96/02368（ここで参照によりその全体が本明細に組み込まれたものとする）に記載されるように、キャップを囲み、使用の間にシェービングヘッドの筐体に対して枢動するように装着された、枢動可能な皮膚支持周縁部である。斯かる構成は、支持部材が、シェービングの間にユーザの皮膚により好適に追従することを可能とする。斯かる構成は、ヘッドが、それぞれが対応する枢動可能な皮膚支持周縁部により支持された複数のカッタユニットを有する場合に、特に有利である。このようにして、シェービングの間、各キャップ支持部は、筐体に対して移動することができる。該筐体は、該筐体を通る幾つかの開口であって、支持部材が該開口のそれぞれのなかで枢動可能に保持された開口を持っても良い。しかしながら、相対運動なく、複数のカッタユニットが合わせて装着されても良いことは、理解されるであろう。特に、各カッタユニットの支持部材は、筐体の一部として合わせて一体的に形成されても良い。
【００１７】
更なる実施例においては、支持部材は、該支持部材から保持器の係止を外すため保持器へのアクセスを可能とする開位置へと、シェービングヘッドの第２の筐体部に対して移動又は枢動させられることができる、シェービングヘッドの第１の筐体部の一部を形成しても良い。斯かる第１の筐体部は時々、ブラケットアセンブリと呼ばれる。本発明は、シェービングヘッド全体がシェーバの本体から取り外されて、保持器へのアクセスをもたらすような状況に対しても、等しく適用可能であることを、当業者は理解するであろう。
【００１８】
本発明はまた、以上に説明されたようなシェービングヘッド及び本体を有するシェーバに関する。保持器により、カッタユニットのそれぞれが個々に分解されることができ、洗浄又は保守を容易化する。
【００１９】
本発明の更なる特徴及び利点は、以下の幾つかの実施例の図を参照しながら、理解されるであろう。
【図面の簡単な説明】
【００２０】
【図１】本発明によるシェーバの斜視図を示す。
【図２】図１のシェーバのヘッドの一部の下側の斜視図を示す。
【図２（ａ）】図２の一部の詳細図である。
【図３】線III−IIIに沿った図２のカッタユニットの１つの垂直断面図を示す。
【図４】本発明による保持器の斜視図を示す。
【図５】線Ｖ−Ｖに沿った図３のカッタユニットの水平断面図を示す。
【図６（ａ）】本発明による代替の保持器の平面図を示す。
【図６（ｂ）】本発明による代替の保持器の平面図を示す。
【図６（ｃ）】本発明による代替の保持器の平面図を示す。
【図６（ｄ）】本発明による代替の保持器の平面図を示す。
【図６（ｅ）】本発明による代替の保持器の平面図を示す。
【図６（ｆ）】本発明による代替の保持器の平面図を示す。
【図６（ｇ）】本発明による代替の保持器の平面図を示す。
【図６（ｈ）】本発明による代替の保持器の平面図を示す。
【図６（ｉ）】本発明による代替の保持器の平面図を示す。
【図７】本発明の第２の態様による保持器の斜視図を示す。
【発明を実施するための形態】
【００２１】
図１は、本発明によるシェーバ１の斜視図を示す。シェーバ１は、本体２及びヘッド３を持つ。本体２には、モータ、トランスミッション、電源、制御回路等が収容されているが、これらは従来のものであり、ここで更には説明されない。本体２の前方部には、シェーバの起動のためのスイッチ４が備えられている。ヘッド３は、第１の筐体部５と、一対のカッタユニット１０が装着された第２の筐体部６と、を有する。各カッタユニット１０は、開口１４を持つ支持部材１２を有し、該開口を通ってキャップ１６が突出する。支持部材１２は、第２の筐体部６に対して浮動するように装着され、ここで支持部材１２は横軸Ｚのまわりに枢動する。キャップ１６は、全体として従来のもののように、該キャップの外側面２０を通り形成されたスロット１８を持つ。第２の筐体部６は、第１の筐体部５に接続され、カッタユニット１０の後側へのアクセスを可能とする留め部８により取り外されることができる。
【００２２】
図２は、シェーバ１の本体２から取り外された、図１の第２の筐体部６の下側を斜視図で示す。本図において、各カッタユニット１０は、担体２６とスピンドル２８とを持つ回転カッタ２４を有することが分かる。保持器３０が回転カッタ２４の上に重なり、該回転カッタ２４を支持部材１２と係合させて保持する。
【００２３】
図２ａは、支持部材１２が第２の筐体部６と共に保持される態様を示す、図２の詳細図を示す。軸Ｚに沿って整列された第２の筐体部６の径方向に対向する両側に、トラニオン７が形成される。支持部材１２に備えられたクリップ１３は、トラニオン７を係合し、枢動接続を形成する。
【００２４】
図３は、線III−IIIに沿った図２のカッタユニット１０の断面図を示す。キャップ１６は、支持部材１２における開口１４を通って突出し、キャップ１６の外側面２０は、支持部材１２を僅かに越えて延在する。キャップ１６内において、回転カッタ２４は、担体２６により支持された切断要素３２を持つ。切断要素３２は、担体２６とスピンドル２８との間に装着されたばね３４の力の下、キャップ１６に対して係合する。保持器３０は、内側環３６と外側環３８とを有し、外側環３８はこれら環の間に形成された穴４０を持つ。内側環３６は駆動開口４２を定義し、該駆動開口を通ってスピンドル２８が延在する。外側環３８は、該環の外周に突起４４を担持し、該突起が、支持部１２に形成された内側に向けて延在するフランジ４６の下に係合する。突起４４及びフランジ４６は、保持器３０と支持部材１２との間のバヨネット接続を形成する係止要素として機能する。キャップ１６の外側面２０に向けられた内側環３６の下側面は、先細の面３５を備える。使用時には、先細の面３５が、切断された毛及びシェービングの細片の、穴１４の通過を容易化する。
【００２５】
図４は、図３の保持器３０を斜視図で示し、内側環３６、外側環３８、駆動開口４２、穴４０及び突起４４を示す。本図においてよく理解され得るように、内側環３６と外側環３８とは、交差部材５０により互いと接合され、ここで保持器３０が、駆動開口４２を囲む全体として環状である環状体４８を定義する。交差部材５０には、山形の形をとる把持突起５２が形成される。山形の突起５２の先端５４は、上から見たときに、半時計まわりの方向を指す。図示された実施例においては、４つの交差部材５０と、該交差部材間に形成された４つの穴４０と、がある。各穴４０は矢印の形状を持ち、各矢印の先端５６は、山形の先端５４と同じ半時計まわりの方向を指す。
【００２６】
図５は、線Ｖ−Ｖに沿った図３のカッタユニットを通る、下からの水平断面図を示し、保持器３０と支持部材１２との間にバヨネット接続が形成された態様を示す。外側環３８に形成された突起４４は、支持部材１２における当接部５８と係合して示されており、当接部５８が、これら２つの構成要素の相対的な回転の度合いを制限する。また、突起４４との係合の位置において、支持部材１２に備えられた戻り止め６０も示されている。本図において、４つの当接部に係合する４つの突起のみが示されていることは、留意されるであろう。
【００２７】
ここで、図１乃至５を参照しながら、保持器３０の動作が説明される。ユーザがシェーバ１を洗浄したい場合、該ユーザは、留め部８を係合させることにより本体２から第２の筐体部６を取り外し、次いで第２の筐体部６を図２の位置へと逆さまにする。該ユーザは次いで、該ユーザの指により、把持突起５２を係合させることにより、保持器３０を取り外しても良い。矢印型の穴４０及び山形の把持突起５２により示される方向に力をかけると、突起４４が戻り止め６０を越えて移動する。これらの方向を示す形状の存在は、保持器３０が回されるべきであること、及び回されるべき方向についての、直接的な視覚的指示をもたらす。保持器３０が支持部材１２に対して回転させられると、突起４４がフランジ４６の下から外れ、保持器３０が支持部材１２から後退させられることができる。保持器３０が取り外されると、キャップ１６と同様に、回転カッタ２４も取り外され、洗浄又は交換されることができる。以上のシーケンスを逆に行うことにより、再組立てが同様に行われる。
【００２８】
図６ａ乃至６ｉは、保持器３０のための幾つかの代替設計を示す。図６ｄ及び６ｈにおいては、穴４０によってのみ方向を示す形状が提供される。図６ｇにおいては、把持突起５２のみが方向を示す形状として形成され、穴４０は全体として長方形である。図６ｅにおいては、把持突起が存在しない。図６ｇにおいては、穴４０の数が他の装置におけるよりも多い。図６ｃにおいては、穴４０が不連続である外側環３８を通り延在する。図６ｆにおいては、穴４０が不連続である内側環３６を通り延在する。図６ｉは、駆動開口４２が、方向を表す形状６８を備える例を表す。
【００２９】
図７は、本発明の第２の実施例による保持器１３０を示す。本実施例においては、内側環１３６は、持ち上げ要素１６４を備える。持ち上げ要素１６４は、内側環１３６の外周における部分的な刻み目部として形成される。図７の保持器の動作は、図４のものと略同じである。支持部材からの保持器の取り外しの際、支持部材からの保持器１３０のより適切な引き抜きのため、ユーザの指が持ち上げ要素の下に係合することができる。
【００３０】
斯くして、以上に議論された実施例を参照することにより、本発明が説明された。これら実施例には、当業者にはよく知られた変更及び代替の形態を適用できることは、理解されるであろう。とりわけ、図６ａ乃至６ｉの構成は例であって、等しい又は同等の利益をもたらし得る多くの更なる設計及び構成が考慮され得る。
【００３１】
これら以上に説明されたものに加え、多くの変更が、本発明の精神及び範囲から逸脱することなく、ここで説明された構造及び手法に対して為され得る。従って、特定の実施例が説明されたが、これらは単に例であり、本発明の範囲を限定するものではない。
【図１】
0005782578.tif 000002
【図２】
0005782578.tif 000003
【図２ａ】
0005782578.tif 000004
【図３】
0005782578.tif 000005
【図４】
0005782578.tif 000006
【図５】
0005782578.tif 000007
【図６ａ】
0005782578.tif 000008
【図６ｂ】
0005782578.tif 000009
【図６ｃ】
0005782578.tif 000010
【図６ｄ】
0005782578.tif 000011
【図６ｅ】
0005782578.tif 000012
【図６ｆ】
0005782578.tif 000013
【図６ｇ】
0005782578.tif 000014
【図６ｈ】
0005782578.tif 000015
【図６ｉ】
0005782578.tif 000016
【図７】
0005782578.tif 000017